(57)【要約】【課題】最小限のビス止め箇所で、スピーカが筐体に接触しないように固定することができる表示装置及びテレビジョン受信機を提供する。【解決手段】フロントキャビネット１０１ａにスピーカ１が取り付けられた場合、フロントキャビネット１０１ａから突出された２つのボス３１が、スピーカ１の取付部１４ａ，１４ｂにゴムブッシュ２を介してそれぞれ嵌合される。また、フロントキャビネット１０１ａに設けられた掛止部３２が、緩衝部材３３を介してスピーカ１の取付板１３ａの上端に掛止する。【選択図】図６
2014060603.tif 000002
【特許請求の範囲】
【請求項１】
矩形状の表示パネルと、該表示パネルを一側面の一部として有する筐体と、該筐体の内部に取り付けられたスピーカとを備える表示装置において、
前記筐体の内面に、前記スピーカの上下方向の位置を固定する固定部材が突設されていることを特徴とする表示装置。
【請求項２】
前記筐体は、前記表示パネルの周縁を囲う枠状のフロントキャビネットを有し、
前記固定部材は、前記フロントキャビネットから突設され、前記スピーカの上部に掛止する掛止部を備えることを特徴とする請求項１に記載の表示装置。
【請求項３】
前記掛止部は、緩衝部材を介して前記スピーカに掛止していることを特徴とする請求項２に記載の表示装置。
【請求項４】
前記筐体は、前記表示パネルの周縁を囲う枠状のフロントキャビネットを有し、
前記スピーカは、該スピーカが放出した音を所定方向に導く導音体を有し、該導音体を介して前記フロントキャビネットに当接されており、
前記固定部材は、前記フロントキャビネットから突設され、前記導音体の上部に掛止する掛止部を備えることを特徴とする請求項１に記載の表示装置。
【請求項５】
前記掛止部は、緩衝部材を介して前記導音体に掛止していることを特徴とする請求項４に記載の表示装置。
【請求項６】
前記筐体は、前記表示パネルの周縁を囲う枠状のフロントキャビネットを有し、
緩衝部材を介して前記スピーカに取り付けられ、前記スピーカの周囲を覆う被覆部材を備え、
前記固定部材は、前記フロントキャビネットから突設され、前記被覆部材の上部に掛止する掛止部を備えることを特徴とする請求項１に記載の表示装置。
【請求項７】
請求項１から６までのいずれかひとつに記載の表示装置と、
テレビジョン放送を受信する受信部とを備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、筐体内部にスピーカが取り付けられている表示装置及びテレビジョン受信機に関する。
【背景技術】
【０００２】
近年、液晶表示装置の薄型化に伴って液晶表示装置を備えるテレビジョン受信機の薄型化が進んでいる。テレビジョン受信機の筐体内部にはスピーカが取り付けてあり、テレビジョン受信機（筐体）の薄型化に伴ってスピーカの取付空間が制限され、スピーカの取付構造が限定されつつある。
【０００３】
スピーカは筐体に対してビス止めされており、少ない数のビスで固定する場合、確実に所定位置に固定できないことがある。スピーカは、スピーカの振動が筐体に直接的に伝導しないように、ゴムブッシュを介して筐体に取り付けられている場合がある。しかし、スピーカの重さでゴムブッシュが変形してスピーカがずれ、スピーカが筐体と接触した場合、スピーカの振動が筐体に直接伝導し、所謂ビビリ音が発生する。また、スピーカが筐体に接触しない場合であっても、スピーカからの放音の一部が筐体内部に漏れて音質の低下を招くことがある。
【０００４】
ビビリ音を抑制する方法として、例えば、筐体の内面とスピーカとの間に緩衝材を介在させ、緩衝材を介してスピーカと筐体とを接触させる方法がある。しかし、緩衝材を介した場合であっても、スピーカが筐体と接触した場合、スピーカと共に筐体全体が振動源となってビビリ音が発生する可能性があり、効率よくビビリ音を抑制することは難しい。
また、スピーカのビス止め箇所を増やして、スピーカが筐体に接触しないように取り付ける方法があるが、筐体の薄型化と共に、筐体を構成するフロントキャビネットの狭額縁化も進んでおり、ビス止め箇所を増やすことは難しい。また、コスト削減の目的から、ビスの使用数の削減も求められており、ビス止め箇所を増やす方法は現実的ではない。
【０００５】
特許文献１では、自動車等の車両のドアパネルにスピーカを取り付ける構造が提案されている。特許文献１に開示された構造では、車両のドアパネルに設けられた取付け穴にスピーカが引っ掛けられて固定される。
【先行技術文献】
【特許文献】
【０００６】
【特許文献１】特開２００８−８５６６４号公報
【発明の概要】
【発明が解決しようとする課題】
【０００７】
特許文献１に開示された構造では、車両のドアパネルにスピーカを簡単に取り付けることができる。しかしながら、特許文献１では、スピーカの取付空間に制限があるようなテレビジョン受信機に適用することは難しい。よって、筐体内部の狭い空間にスピーカを確実に取り付けられる構造が要望されている。
【０００８】
本発明は斯かる事情に鑑みてなされたものである。その目的とするところは、最小限のビス止め箇所で、スピーカが筐体と接触しないようにスピーカを固定することにより、ビビリ音の発生を抑制できる表示装置及びテレビジョン受信機を提供することにある。
【課題を解決するための手段】
【０００９】
本発明に係る表示装置は、矩形状の表示パネルと、該表示パネルを一側面の一部として有する筐体と、該筐体の内部に取り付けられたスピーカとを備える表示装置において、前記筐体の内面に、前記スピーカの上下方向の位置を固定する固定部材が突設されていることを特徴とする。
【００１０】
本発明によれば、筐体内部におけるスピーカの上下方向の位置が、筐体の内面から突設された固定部材にて固定される。よって、スピーカが自身の重みで下がり、筐体と接触することを防止し、筐体内におけるスピーカの位置を固定することが可能となる。
【００１１】
本発明に係る表示装置は、前記筐体は、前記表示パネルの周縁を囲う枠状のフロントキャビネットを有し、前記固定部材は、前記フロントキャビネットから突設され、前記スピーカの上部に掛止する掛止部を備えることを特徴とする。
【００１２】
本発明によれば、フロントキャビネットから突設された固定部材が、スピーカの上部に掛止する。スピーカは、フロントキャビネットに対向する側（例えば、放音する側）よりも反対側（背面側）が重い構造となっている場合が多いので、自身の重さにて背面側に傾く方向の力が加わる。よって、スピーカの上部を固定することにより、スピーカが背面側へ傾くことを防止でき、スピーカを確実に固定できる。
【００１３】
本発明に係る表示装置は、前記掛止部は、緩衝部材を介して前記スピーカに掛止していることを特徴とする。
【００１４】
本発明によれば、固定部材は緩衝部材を介してスピーカに掛止するので、スピーカの振動が直接固定部材に伝わることを防止できる。よって、固定部材とスピーカとの接触箇所におけるビビリ音の発生を防止する。
【００１５】
本発明に係る表示装置は、前記筐体は、前記表示パネルの周縁を囲う枠状のフロントキャビネットを有し、前記スピーカは、該スピーカが放出した音を所定方向に導く導音体を有し、該導音体を介して前記フロントキャビネットに当接されており、前記固定部材は、前記フロントキャビネットから突設され、前記導音体の上部に掛止する掛止部を備えることを特徴とする。
【００１６】
本発明によれば、スピーカは導音体を有し、導音体を介してフロントキャビネットに当接されている。また、フロントキャビネットから突設された固定部材が、導音体の上部に掛止する。導音体の上部を固定することにより、スピーカが背面側へ傾くことを防止でき、スピーカを確実に固定できる。
【００１７】
本発明に係る表示装置は、前記掛止部は、緩衝部材を介して前記導音体に掛止していることを特徴とする。
【００１８】
本発明によれば、固定部材は緩衝部材を介して導音体に掛止するので、スピーカの振動が導音体を介して固定部材に伝わることを防止できる。よって、導音体と固定部材との接触箇所におけるビビリ音の発生を防止する。
【００１９】
本発明に係る表示装置は、前記筐体は、前記表示パネルの周縁を囲う枠状のフロントキャビネットを有し、緩衝部材を介して前記スピーカに取り付けられ、前記スピーカの周囲を覆う被覆部材を備え、前記固定部材は、前記フロントキャビネットから突設され、前記被覆部材の上部に掛止する掛止部を備えることを特徴とする。
【００２０】
本発明によれば、フロントキャビネットから突設された固定部材が、スピーカの周囲を覆う被覆部材の上部に掛止する。スピーカを覆う被覆部材の上部を固定することにより、スピーカが背面側へ傾くことを防止でき、スピーカを確実に固定できる。また、被覆部材は緩衝部材を介してスピーカに取り付けられるので、スピーカの振動が被覆部材及び固定部材に直接伝わることを防止でき、ビビリ音の発生を防止する。更に、被覆部材にてスピーカの周囲を覆うことにより、スピーカから放出される音を所定方向に導くことが可能となる。
【００２１】
本発明に係るテレビジョン受信機は、上述したいずれかの表示装置と、テレビジョン放送を受信する受信部とを備え、前記受信部にて受信したテレビジョン放送に基づいて、前記表示装置に映像を表示するようにしてあることを特徴とする。
【００２２】
本発明によれば、テレビジョン受信機においても、スピーカが筐体と接触することを防止し、筐体内におけるスピーカの位置を固定することが可能となる。
【発明の効果】
【００２３】
本発明によれば、ビス止め箇所が少なくても筐体内においてスピーカを強固に固定できる。よって、スピーカが自身の重みで下がり、筐体と接触することが防止できるので、スピーカが筐体と接触することによって生じるビビリ音の発生を抑制できる。
【図面の簡単な説明】
【００２４】
【図１】実施形態１のテレビジョン受信機の斜視図である。
【図２】実施形態１のテレビジョン受信機におけるフロントキャビネット及びスピーカを略示する斜視図である。
【図３】スピーカの斜視図である。
【図４】フロントキャビネットの斜視図である。
【図５】フロントキャビネットに設けられた掛止部の拡大図である。
【図６】スピーカが取り付けられたフロントキャビネットの一部を示す拡大図である。
【図７】図６におけるVII−VII線での略示縦断面図である。
【図８】実施形態２のスピーカの斜視図である。
【図９】実施形態２のフロントキャビネットの斜視図である。
【図１０】フロントキャビネットに設けられた掛止部の拡大図である。
【図１１】スピーカが取り付けられたフロントキャビネットの一部を示す拡大図である。
【図１２】図１１におけるXII−XII線での略示縦断面図である。
【図１３】固定カバーの斜視図である。
【図１４】実施形態３のフロントキャビネットの斜視図である。
【図１５】フロントキャビネットに設けられた掛止部の拡大図である。
【図１６】スピーカ及び固定カバーが取り付けられたフロントキャビネットの一部を示す拡大図である。
【図１７】図１６におけるXVII−XVII線での略示縦断面図である。
【図１８】図１６におけるXVIII−XVIII線での略示縦断面図である。
【発明を実施するための形態】
【００２５】
以下に、本発明をその実施形態を示す図面に基づいて詳述する。
【００２６】
（実施形態１）
図１は、実施形態１のテレビジョン受信機の斜視図、図２は、実施形態１のテレビジョン受信機におけるフロントキャビネット及びスピーカを略示する斜視図である。本実施形態１のテレビジョン受信機１００は、液晶パネル、プラズマパネル又は有機ＥＬ（Electro Luminescence）パネル等の矩形状の表示パネル１０３を有しており、表示パネル１０３は、筐体１０１の一側面の一部をなすように設けられている。筐体１０１内部の適宜箇所には、テレビジョン放送の放送信号を受信するチューナ（受信部）１０４が設けられており、テレビジョン受信機１００は、チューナ１０４にて受信した放送信号に基づいて表示パネル１０３に映像を表示する。図１に示すテレビジョン受信機１００は、表示パネル１０３が起立状態でスタンド１０５にて支持される構成であるが、本発明に係る表示装置及びテレビジョン受信機は、このような構成に限らず、例えば、スタンド１０５を備えずに壁等に取り付け可能に構成されてもよい。
【００２７】
筐体１０１は、表示パネル１０３の周縁を囲う枠状のフロントキャビネット１０１ａと、表示パネル１０３の背面側（表示画面側とは反対側）を覆う深皿形状のバックキャビネット１０１ｂとで構成されている。筐体１０１内部において、表示パネル１０３の背面側には、光源、光源からの光を均一に拡散する拡散板、拡散板によって拡散された光源からの光を表示パネル１０３へ集光する光学シート等が収納されている。
【００２８】
フロントキャビネット１０１ａ及びバックキャビネット１０１ｂは、縦寸法及び横寸法が略同程度に形成されており、フロントキャビネット１０１ａ及びバックキャビネット１０１ｂの縁部分は互いに対向する。フロントキャビネット１０１ａ及びバックキャビネット１０１ｂの縁部分には、それぞれ係合凸部及び係合凹部が設けてあり、係合凸部及び係合凹部が係合され、複数の止めネジにて取り付けられる。
【００２９】
筐体１０１の内側下部には、スピーカ１が取り付けられており、テレビジョン受信機１００は、チューナ１０４にて受信した放送信号に基づいてスピーカ１にて音声を出力する。図２に示すように、スピーカ１は、細長い直方体形状に構成されており、フロントキャビネット１０１ａの下辺部分の中央に下辺部分に沿って取り付けられている。フロントキャビネット１０１ａにおいて、スピーカ１が配置される箇所には、スピーカ１からの音を放出する放音孔３０（図４参照）が形成されており、放音孔３０には、前面側から矩形板状のメッシュシート１０２が貼付されている。なお、メッシュシート１０２は、フロントキャビネット１０１ａのデザイン性を考慮し、フロントキャビネット１０１ａの下辺部分において一端から他端までの領域に貼付されてもよい。
【００３０】
図３は、スピーカ１の斜視図であり、図３Ａには、フロントキャビネット１０１ａに取り付けられる側から見た状態を示し、図３Ｂには、その反対側、即ち、バックキャビネット１０１ｂに対向する側から見た状態を示す。
スピーカ１は、矩形筒状の導音体１０を有し、導音体１０の一方の開口部にはスピーカ本体部１１が取り付けられている。スピーカ本体部１１は、振動板としてのコーン（図示せず）及び磁石１１ａを有し、導音体１０の開口部を塞ぐようにコーンが設けてあり、その外側に磁石１１ａが配置されている。また導音体１０の他方の開口部の周縁にはクッション部材１２が貼付されている。
【００３１】
スピーカ１はクッション部材１２を介して、クッション部材１２が貼付された導音体１０の開口部が放音孔３０に対向するようにフロントキャビネット１０１ａに取り付けられる。よって、スピーカ本体部１１は、導音体１０及びクッション部材１２を介してフロントキャビネット１０１ａに当接され、導音体１０は、スピーカ本体部１１（コーン）から発せられた音を放音孔３０まで導く。
【００３２】
導音体１０は、長手方向の両端面からそれぞれ長手方向に取付板１３ａ，１３ｂが延設されており、それぞれの延設端部には取付部１４ａ，１４ｂが設けてある。本実施形態１では、一方の取付板１３ａは長く、他方の取付板１３ｂは短く形成されている。取付部１４ａ，１４ｂはそれぞれ、導音体１０の長手方向に直交する方向（図３においては手前側から奥側への方向）に貫通する貫通孔を有する。取付板１３ａ，１３ｂは、それぞれの面に格子状にリブが設けられて補強されている。取付板１３ａと導音体１０との連結箇所にもリブが設けられて補強されている。
【００３３】
導音体１０、取付板１３ａ，１３ｂ及び取付部１４ａ，１４ｂは一体成形されている。取付部１４ａ，１４ｂのそれぞれの貫通孔には筒状のゴムブッシュ（弾性部材）２が内嵌してある。なお、図３Ａの取付部１４ｂのみ、ゴムブッシュ２が装着されていない状態を示し、その他の取付部１４ａ，１４ｂは、ゴムブッシュ２が装着されている状態を示す。ゴムブッシュ２は、取付部１４ａ，１４ｂの貫通孔から前後方向に延出しており、延出したゴムブッシュ２の端部はそれぞれ鍔状になっている。そのため、鍔状になった部分は、取付部１４ａ，１４ｂの貫通孔の周縁部を覆っている。
【００３４】
図４は、フロントキャビネット１０１ａの斜視図であり、背面側（バックキャビネット１０１ｂ側）から見た状態を示す。図５は、フロントキャビネット１０１ａに設けられた掛止部３２の拡大図である。フロントキャビネット１０１ａに設けられた放音孔３０は、図４に示すように、複数の小孔にて構成されており、複数の小孔は前記長手方向に２列で配置されている。このように放音孔３０を格子状に構成することによりフロントキャビネット１０１ａの強度の低下を防止する。
【００３５】
また、フロントキャビネット１０１ａの下辺部分の背面側には、放音孔３０の近傍に、スピーカ１の上部に掛止する掛止部３２が突設されている。本実施形態１では、掛止部３２は、放音孔３０に対して長手方向の一側（図４では右側）に適宜間隔を隔てて設けてある。掛止部３２は、矩形板状をなし、フロントキャビネット１０１ａの裏面（背面）から垂直に突設されている。また、掛止部３２の長手方向は、フロントキャビネット１０１ａの下辺部分の長手方向に一致している。図５に示すように、掛止部３２の突設端には、鉤状の掛止爪３２ａが下向きに設けてあり、掛止爪３２ａを覆うように不織布又はフェルト等の緩衝部材３３が貼付してある。
更に、フロントキャビネット１０１ａの下辺部分の背面側には、放音孔３０の両側に、ネジ穴を有する円筒状のボス３１が突設されており、掛止部３２と同側のボス３１は、もう一方のボス３１よりも放音孔３０から離れた位置に設けてある。ボス３１の基部には、フロントキャビネット１０１ａとの連結強度を補強するために、径方向外向きに延びるリブ３１ａが設けてあり、リブ３１ａを含む基部側の外径は突設端側の外径よりも大きい。
【００３６】
図６は、スピーカ１が取り付けられたフロントキャビネット１０１ａの一部を示す拡大図、図７は、図６におけるVII−VII線での略示縦断面図である。なお、図６及び図７における上下方向は、図１におけるテレビジョン受信機１００の上下方向に一致する。
フロントキャビネット１０１ａにスピーカ１が取り付けられる場合、フロントキャビネット１０１ａから突出されたボス３１が突出端面から、スピーカ１の取付部１４ａ，１４ｂに嵌合されたゴムブッシュ２の貫通孔に嵌入される。ボス３１の突出端側の外径はゴムブッシュ２の内径と略等しく形成されており、ボス３１はゴムブッシュ２と密着しつつ嵌入される。また、図７に示すように、ボス３１のリブ３１ａがゴムブッシュ２に当接した場合、ボス３１のゴムブッシュ２への嵌入が停止し、このとき、ゴムブッシュ２に嵌入されたボス３１の突出端面が、ゴムブッシュ２の端面（背面側の端面）と略同一面状となる。なお、ボス３１のリブ３１ａがゴムブッシュ２に当接したとき、スピーカ１のクッション部材１２はフロントキャビネット１０１ｂに当接する。
【００３７】
また、ボス３１がゴムブッシュ２の貫通孔に嵌入されると同時に、フロントキャビネット１０１ａに設けられた掛止部３２の掛止爪３２ａが、スピーカ１の取付板１３ａの上端に掛止する。なお、掛止爪３２ａは緩衝部材３３を介して取付板１３ａに掛止する。
詳細については図示しないが、バックキャビネット１０１ｂにおいて、スピーカ１が取り付けられたフロントキャビネット１０１ａに装着された場合に、ボス３１に対向する位置に、ボス３１のネジ穴の内径よりも若干大きい内径の貫通孔が設けられている。よって、上述したようにフロントキャビネット１０１ａにスピーカ１が取り付けられた後、また、表示パネル１０３等が所定位置に装着された後、バックキャビネット１０１ｂがフロントキャビネット１０１ａに連結され、ビス（図示せず）がバックキャビネット１０１ｂの貫通孔に背面側から挿入され、ボス３１のネジ穴に螺嵌される。
【００３８】
上述した構成により、スピーカ１は、２つのボス３１及びビスを介してフロントキャビネット１０１ａ及びバックキャビネット１０１ｂの間に取り付けられる。また、スピーカ１の取付板１３ａの上部は、掛止部３２にてフロントキャビネット１０１ａ側に引っ張られるので、スピーカ１が自身の重み、特に磁石１１ａの重みで背面側に傾くことを確実に防止できる。よって、フロントキャビネット１０１ａに設けられたボス３１及び掛止部３２は、筐体１０１内においてスピーカ１が下がらないように上下位置を固定する固定部材として機能する。これにより、最小限のビス止め箇所で、筐体１０１内におけるスピーカ１の位置を固定できるので、スピーカ１が筐体１０１と接触した場合に発生するビビリ音を防止できる。
【００３９】
スピーカ１が背面側に傾いた場合、スピーカ１のクッション部材１２がフロントキャビネット１０１ａから離れることがあり、この場合、スピーカ本体部１１（コーン）から放出された音が筐体１０１内に漏れるので音質の低下を招く。しかし、本実施形態１では、筐体１０１内におけるスピーカ１の位置を固定できるので、クッション部材１２が、フロントキャビネット１０１ａから離れることを防止でき、音質の低下を防止できる。
またスピーカ１は、ゴムブッシュ２を介してボス３１（筐体１０１）に取り付けられると共に、緩衝部材３３を介して掛止部３２（筐体１０１）に取り付けられるので、スピーカ１の振動が直接筐体１０１に伝導することを防止でき、ビビリ音の発生を防止できる。
【００４０】
（実施形態２）
以下に、実施形態２のテレビジョン受信機について説明する。なお、本実施形態２のテレビジョン受信機は、上述した実施形態１のテレビジョン受信機と同様の構成を有しており、同様の構成については同一の符号を付して説明を省略する。
【００４１】
図８は、実施形態２のスピーカ１の斜視図であり、フロントキャビネット１０１ａに取り付けられる側から見た状態を示す。本実施形態２のスピーカ１において、導音体１０、スピーカ本体部１１、クッション部材１２、取付板１３ａ，１３ｂ、取付部１４ａ，１４ｂ及びゴムブッシュ２はそれぞれ、実施形態１のスピーカ１と同様である。
本実施形態２のスピーカ１において、導音体１０の上面中央に凸部１５が突設されている。
【００４２】
図９は、実施形態２のフロントキャビネット１０１ａの斜視図であり、背面側（バックキャビネット１０１ｂ側）から見た状態を示す。図１０は、フロントキャビネット１０１ａに設けられた掛止部３４の拡大図である。本実施形態２のフロントキャビネット１０１ａの下辺部分の背面側には、放音孔３０の上側中央に、スピーカ１（導音体１０）の上部に掛止する掛止部３４が突設されている。本実施形態２の掛止部３４は、上述の実施形態１の掛止部３２と同様の形状を有している。即ち、掛止部３４は、矩形板状をなし、フロントキャビネット１０１ａの裏面（背面）から垂直に突設されている。また、図１０に示すように、掛止部３４の突設端には、鉤状の掛止爪３４ａが下向きに設けてあり、掛止爪３４ａを覆うように不織布又はフェルト等の緩衝部材３５が貼付してある。
【００４３】
図１１は、スピーカ１が取り付けられたフロントキャビネット１０１ａの一部を示す拡大図、図１２は、図１１におけるXII−XII線での略示縦断面図である。なお、図１１及び図１２における上下方向は、図１におけるテレビジョン受信機１００の上下方向に一致する。
本実施形態２においても、上述の実施形態１と同様に、フロントキャビネット１０１ａにスピーカ１が取り付けられる場合、フロントキャビネット１０１ａから突出されたボス３１が突出端面から、スピーカ１の取付部１４ａ，１４ｂに嵌合されたゴムブッシュ２の貫通孔に嵌入される。そして、本実施形態２では、ボス３１がゴムブッシュ２の貫通孔に嵌入されると同時に、フロントキャビネット１０１ａに設けられた掛止部３４の掛止爪３４ａが、導音体１０に設けられた凸部１５に掛止する。なお、掛止爪３４ａは緩衝部材３５を介して凸部１５に掛止する。
【００４４】
上述した構成により、スピーカ１は、２つのボス３１及びビスを介してフロントキャビネット１０１ａ及びバックキャビネット１０１ｂの間に取り付けられる。また、導音体１０の凸部１５は、掛止部３４にてフロントキャビネット１０１ａ側に引っ張られるので、スピーカ１が自身の重み、特に磁石１１ａの重みで背面側に傾くことを確実に防止できる。よって、本実施形態２でも、上述の実施形態１で得られた効果と同様の効果が得られる。
【００４５】
（実施形態３）
以下に、実施形態３のテレビジョン受信機について説明する。なお、本実施形態３のテレビジョン受信機は、上述した実施形態１のテレビジョン受信機と同様の構成を有しており、同様の構成については同一の符号を付して説明を省略する。
【００４６】
本実施形態３のスピーカ１は、上述の実施形態１のスピーカ１と同様の構成を有する。また本実施形態３のスピーカ１は、２つのボス３１及びビスを介してフロントキャビネット１０１ａ及びバックキャビネット１０１ｂの間に取り付けられると共に、固定カバー４を介してフロントキャビネット１０１ａに取り付けられる。
図１３は、固定カバー４の斜視図であり、図１３Ａには、スピーカ１に取り付けられる側の反対側、即ち、バックキャビネット１０１ｂに対向する側（以下、背面側という）から見た状態を示し、図１３Ｂには、スピーカ１に取り付けられる側（以下、前面側という）から見た状態を示す。固定カバー４は、例えばポリカーボネートを用いて形成される。
【００４７】
固定カバー４は、フロントキャビネット１０１ａに取り付けられたスピーカ１の背面側からスピーカ１全体を覆う形状に形成されている。固定カバー４は、スピーカ本体部１１の背面側を覆う背面板４０ａと、背面板４０ａの下端から延設され、導音体１０（スピーカ本体部１１）の下面側を覆う下面板４０ｂと、背面板４０ａの上端から延設され、導音体１０の上面側を覆う上面板４０ｃとを有する。下面板４０ｂは、背面板４０ａに対して直交方向よりも下向きに傾斜して延設されており、上面板４０ｃは、背面板４０ａに対して直交方向よりも上向き傾斜して延設されている。上面板４０ｃの延設端部は、下向きに傾斜するように屈曲されており（図１７参照）、背面板４０ａ、下面板４０ｂ及び上面板４０ｃにて囲まれる空間内に導音体１０及びスピーカ本体部１１が収納される。また、背面板４０ａの前面側、即ち、スピーカ本体部１１の背面側に対向する箇所には、不織布又はフェルト等の緩衝部材５が貼付してある。
【００４８】
背面板４０ａの長手方向の両端部はそれぞれ、スピーカ本体部１１と、取付板１３ａ，１３ｂとの連結箇所に沿う形状に屈曲してあり、屈曲端から、取付板１３ａ，１３ｂ及び取付部１４ａ，１４ｂの背面側を覆う突出板４１ａ，４１ｂが延設されている。突出板４１ａ，４１ｂのそれぞれには、スピーカ１の取付部１４ａ，１４ｂに対向する位置に、取付部１４ａ，１４ｂにゴムブッシュ２を介して嵌入されたボス３１のネジ穴よりも若干大きい内径の貫通孔４２が設けてある。また、突出板４１ａにおいて、スピーカ１の取付板１３ａに対向する領域の上端から、上面板４０ｃに連なる掛止部４３が延設されている。掛止部４３は、上面板４０ｃよりも長い矩形板状に延設され、延設端は、下向きに屈曲されて鉤状に形成されている。
【００４９】
図１４は、実施形態３のフロントキャビネット１０１ａの斜視図であり、背面側（バックキャビネット１０１ｂ側）から見た状態を示す。図１５は、フロントキャビネット１０１ａに設けられた掛止部３６の拡大図である。本実施形態３のフロントキャビネット１０１ａの下辺部分の背面側には、放音孔３０の近傍に、固定カバー４の上部に掛止する掛止部３６が突設されている。本実施形態３の掛止部３６は、上述の実施形態１の掛止部３２と同様の箇所に設けてある。掛止部３６は、矩形板状をなし、フロントキャビネット１０１ａの裏面（背面）から垂直に突設されている。本実施形態３の掛止部３６は、図１５に示すように、掛止部３６の突設端には、鉤状の掛止爪３６ａが上向きに設けてあり、掛止爪３６ａを覆うように不織布又はフェルト等の緩衝部材３７が貼付してある。
【００５０】
図１６は、スピーカ１及び固定カバー４が取り付けられたフロントキャビネット１０１ａの一部を示す拡大図、図１７は、図１６におけるXVII−XVII線での略示縦断面図、図１８は、図１６におけるXVIII−XVIII線での略示縦断面図である。なお、図１６乃至図１８における上下方向は、図１におけるテレビジョン受信機１００の上下方向に一致する。
【００５１】
本実施形態３においても、上述の実施形態１と同様に、フロントキャビネット１０１ａにスピーカ１が取り付けられる場合、フロントキャビネット１０１ａから突出されたボス３１が突出端面から、スピーカ１の取付部１４ａ，１４ｂに嵌合されたゴムブッシュ２の貫通孔に嵌入される。そして、本実施形態３では、ボス３１がゴムブッシュ２の貫通孔に嵌入された後、フロントキャビネット１０１ａに設けられた掛止部３６の掛止爪３６ａに、固定カバー４の掛止部４３を掛止させると共に、固定カバー４の２つの貫通孔４２をそれぞれボス３１のネジ穴に対向させる。なお、固定カバー４の掛止部４３は緩衝部材３７を介して掛止部３６に掛止し、固定カバー４の背面板４０ａは緩衝部材５を介してスピーカ１（磁石１１ａ）に当接する。
そして、その背面側からバックキャビネット１０１ｂがフロントキャビネット１０１ａに連結され、ビス（図示せず）が、バックキャビネット１０１ｂの背面側から、バックキャビネット１０１ｂの貫通孔及び固定カバー４の貫通孔４２に挿入され、ボス３１のネジ穴に螺嵌される。
【００５２】
上述した構成により、スピーカ１が固定カバー４と共に、２つのボス３１及びビスを介してフロントキャビネット１０１ａ及びバックキャビネット１０１ｂの間に取り付けられる。また、緩衝部材５を介してスピーカ１の背面に接触している固定カバー４の上端（掛止部４３）が、フロントキャビネット１０１ａに設けられた掛止部３６にてフロントキャビネット１０１ａ側に引っ張られるので、スピーカ１が自身の重み、特に磁石１１ａの重みで背面側に傾くことを確実に防止できる。よって、本実施形態３でも、上述の実施形態１で得られた効果と同様の効果が得られる。また、本実施形態３では、固定カバー４でスピーカ１の背面側を囲むので、スピーカ１（コーン）から放出された音を前面側へ導くことができる。
【００５３】
上述の実施１〜３では、フロントキャビネット１０１ａに設けられた１つの掛止部３２，３４，３６にて、スピーカ１（固定カバー４）の上部がフロントキャビネット１０１ａ側に引っ張られる構成であったが、掛止部３２，３４，３６の数は１つに限らない。例えば、実施形態１において、取付板１３ｂを取付板１３ａと同程度の長さに形成し、フロントキャビネット１０１ａの放音孔３０を隔てた２箇所に掛止部３２を設けた場合、２つの掛止部３２にて取付板１３ａ，１３ｂをそれぞれ引っ張ることができる。また、実施形態２において、導音体１０の上面に複数の凸部１５を設け、フロントキャビネット１０１ａの放音孔３０の上側の対向する複数箇所に掛止部３４を設けた場合、複数の掛止部３４にて複数の凸部１５を引っ張ることができる。更に、実施形態３において、実施形態１と同様に、取付板１３ｂを取付板１３ａと同程度の長さに形成し、取付板１３ａ，１３ｂに対応した形状の突出板４１ａ，４１ｂを固定カバー４に設け、フロントキャビネット１０１ａの放音孔３０を隔てた２箇所に掛止部３６を設けた場合、２つの掛止部３６にて２箇所で固定カバー４を引っ張ることができる。
【００５４】
また、上述の実施形態１〜３を組み合わせてもよい。即ち、実施形態１の掛止部３２及び実施形態２の掛止部３４にてスピーカ１を固定してもよいし、実施形態１の掛止部３２及び実施形態３の固定カバー４にてスピーカ１を固定してもよい。また、実施形態２の掛止部３４及び実施形態３の固定カバー４にてスピーカ１を固定してもよいし、実施形態１の掛止部３２、実施形態２の掛止部３４及び実施形態３の固定カバー４にてスピーカ１を固定してもよい。
【００５５】
また、上述の実施形態１〜３において、掛止部３２，３４，３６のそれぞれを、既にフロントキャビネット１０１ａに設けてあるリブに掛止爪３２ａ，３４ａ，３６ａを追加して構成してもよい。フロントキャビネット１０１ａの下辺部分には、例えば、表示パネル１０３の下縁を支持するリブが突設されており、このようなリブを用いて掛止部３２，３４，３６を形成してもよい。この場合、フロントキャビネット１０１ａの形状を少し変更することのみによって、スピーカ１の位置を固定できる。
【００５６】
また、上述の実施形態１において、掛止部３２の掛止爪３２ａの厚みや緩衝部材３３の厚みを適宜変更することにより、掛止部３２がスピーカ１（取付板１３ａ）を引っ張る力を強化することができる。同様に、上述の実施形態２において、掛止部３４の掛止爪３４ａの厚みや緩衝部材３５の厚みを適宜変更することにより、掛止部３４がスピーカ１（凸部１５）を引っ張る力を強化することができる。また、上述の実施形態３において、掛止部３６の掛止爪３６ａの厚みや緩衝部材３７の厚みを適宜変更することにより、掛止部３６が固定カバー４（スピーカ１）を引っ張る力を強化することができる。
【００５７】
上述の実施形態１〜３では、本発明に係る表示装置及びテレビジョン受信機を、テレビジョン受信機１００に適用した例に基づいて説明したが、本発明に係る表示装置は、例えば、外部から取得した映像データに基づいて映像を表示する表示装置に適用できる。
【００５８】
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００５９】
１  スピーカ
４  固定カバー（被覆部材）
５  緩衝部材
１０  導音体
３１  ボス
３２  掛止部
３３  緩衝部材
３４  掛止部
３５  緩衝部材
３６  掛止部
３７  緩衝部材
３２ａ  掛止爪
３４ａ  掛止爪
３６ａ  掛止爪
１００  テレビジョン受信機（表示装置）
１０１  筐体
１０３  表示パネル
１０４  チューナ（受信部）
１０１ａ  フロントキャビネット
【図１】
2014060603.tif 000003
【図２】
2014060603.tif 000004
【図３】
2014060603.tif 000005
【図４】
2014060603.tif 000006
【図５】
2014060603.tif 000007
【図６】
2014060603.tif 000008
【図７】
2014060603.tif 000009
【図８】
2014060603.tif 000010
【図９】
2014060603.tif 000011
【図１０】
2014060603.tif 000012
【図１１】
2014060603.tif 000013
【図１２】
2014060603.tif 000014
【図１３】
2014060603.tif 000015
【図１４】
2014060603.tif 000016
【図１５】
2014060603.tif 000017
【図１６】
2014060603.tif 000018
【図１７】
2014060603.tif 000019
【図１８】
2014060603.tif 000020